(57)【要約】      （修正有）【課題】寝たきりの被介護人のズボン等の着脱を簡単に出来るような時間短縮、省エネルギーのパジャマズボン、ズボン下を提供する。【解決手段】オムツ替えはズボンに触れることをしないで上腹にスタンバイしている二つのハンドルを左右に開き、腹、大腿部、膝まで出し、被介護人の上向き寝の状態を９０度転じて尻中心にオムツをして下になる方のオムツをマットを潜らせ向うに渡す。オムツを整えファスナーを閉る。ズボン、ズボン下の着脱はウエストの大きなスリットで開口を保ち上向き寝の体勢を９０度転じ後ろは尻を出し、前は腹を出しズボンの脚を下に引っ張ると脱げる。着る時はスリットから両足を入れ、上向き状態を９０度に転じ上になっている方から脚にたぐり寄せ、片方の足も同様にして上向き状態に戻してフリット面ファスナーで止める。【選択図】図１
2020128599.tif 000002
【特許請求の範囲】
【請求項１】
パジャマのズボン、ズボン下は男女の別無く同形。
パジャマズボン、ズボン下の両裾から腹部の上側を二つのハンドルを有するファスナー一本で繋げ腹部中心から左右にオープン出来る。
【請求項２】
ズボン、ズボン下のウエストの部分はウエストサイドの縫い目に大きいスリットを設け、横からオムツが露出しない様にスリットに合った三角の布を出し、スリットの前の布を後ろにスリットの後ろの布を前に巻きつける様にする。
各々のウエスト、その都度の腹部の状態にフイット出来たところで綿テープで止め、外しして寝たまま着脱出来ることを特徴とする。
【発明の詳細な説明】
【技術分野】
【０００１】  本発明は寝たきりの被介護人のパジャマズボン、ズボン下を簡単に着脱出来、オムツ替え、シビンの使用、薬の貼り替え等が出来、時間短縮、省エネルギーのパジャマズボン  ズボン下に関する。
【背景技術】
【０００２】  従来のパジャマはウエストにゴムやヒモが通っていたのが多くみられた。【０００３】  夏期には涼しい甚平風、作務衣タイプも有る。
【先行技術文献】
【特許文献】
【０００４】
【特許文献１】実用新案登録第３０７８６８０号
【発明の概要】
【発明が解決しようとする課題】
【０００５】  上記のパジャマズボンの２８、三方からの集合点になっていて、下の世話をするのに一番取り扱いが多いところなのにスペースが無く作業が滞る。【０００６】  ２８、２９の１本のファスナーの開口の広さでは狭小。ズボンやズボン下を下にずらしてオムツの交換はかさばるので交換しずらい。
又、シビンを用意するスペースが確保出来ない。【０００７】  本発明は、ウエストの締め付けが無く、両足の裾から大腿部、腹部の上を円の形で切り取った様に２つのハンドルを持ったファスナーで開口するので殆んどの下の世話をするスペースが取れる。
【課題を解決するための手段】
【０００８】  本発明に係るズボン、ズボン下はズボンをはき替える場合両ウストサイドのスリットの綿テープを外し、上を向いて寝ている状態を９０度転じてスリット部から尻、腹を出してズボンを下に少し引張って体を元の体勢に戻すと両足が出る。
着る時も体を９０度転じ上になっているスリットから足を入れスリットを綿テープで閉じ下になっている方も同様にする。
オムツを交換する場合や軟便を処理する時はウエストを開かず、腹部中央にあるハンドルでファスナーを開き片足をズボンから出しその足を上にして上向き状態を９０度に転じオムツ換えをする。清潔にしてオムツの中心を尻に当て元の体勢に戻りオムツを整えファスナーを閉める。
シビンの使用、薬の貼り替え、尻、極部を拭く時はファスナーを開閉する。
【発明の効果】
【０００９】  本発明は、寝たきりの人はズボンのウエストの締め付けは不必要である。介護人にとっては邪魔で余部な力を使い扱いずらい。大きいスリットと綿テープが代りになると、被介護人のウエストの状態に合わせその都度加減することが出来お互い勝手が良い。疲れない。【００１０】  また、ファスナーのハンドル２本を腹部中央にスタンバイさせておくと、直ちに左右にオープン出来、両足と腹部を開げて下の世話は全て一度に済ませることが出来重労働は過去のものになる。
よって心配な介護による体形の歪み、体の不具合いも気にせず互いにより良い日々を送ることが出来る。
【図面の簡単な説明】
【００１１】
【図１】本発明の前の部分のパジャマズボン、ズボン下
【図２】本発明の後ろの部分のパジャマズボン、ズボン下
【図３】本発明のスリットの扱い方。
【発明を実施するための形態】
【００１２】  男性用、女性用の別は無く、福祉用具に有り勝ちな色合いではなく明るい色調、模様の生地を用いる。
標準の型紙ではなく前身頃と後身頃とからなる〔図１〕〔図２〕。
〔図２〕の後ろは前よりも胴廻りは大きめで股上を長くする
体側の縫い止まりＣは股の高さにしてスリットを大きくする
〔図１〕前身のスリットより、オムツが露出しない様にＤＦの布を増す。
１、３の上辺の、外になる部分に綿テープを付ける
〔図２〕後ろ身のスリットは綿テープを止める意味あいのものでＤＦより小振りで、ＥＧの布を増し、２、３の上辺の内側に綿テープを施す。
オムツを整ると、ＤＦを後ろに巻く様に着け、後ろ身のＥＧを後ろから前のＤＦに止める。
【００１３】  両足の裾の中心の外側ア・ウから大腿部、上腹部イに繋ぐ２つのハンドルを持つ１本のファスナーを設ける。
２つのハンドルは常時腹部中央にスタンバイしておく。
前の殆んどがオープンになるのでズボン、ズボン下を触ることを少なくして楽に済む。
【符号の説明】
【００１４】ア、イ、ウ  １本のファスナーを施す位置
エ          １本のファスナーに左右に動く２本のハンドル
Ａ、Ｂ、Ａ’Ｂ’  ズボンの縫い始め
Ｃ                縫い止まり
Ｃ〜Ｄ      前身のスリットに布
Ｃ〜Ｆ      前身のスリットに布
Ｃ〜Ｅ      後ろ身のスリットと布
Ｃ〜Ｇ      後ろ身のスリットと布
１、３の上辺外側に綿テープ
２、４の上辺の内側に綿テープ
【図１】
2020128599.tif 000003
【図２】
2020128599.tif 000004
【図３】
2020128599.tif 000005
【手続補正書】
【提出日】平成30年12月22日(2018.12.22)
【手続補正２】
【補正対象書類名】図面
【補正対象項目名】図１
【補正方法】変更
【補正の内容】
【図１】
2020128599.tif 000006
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
１方のファスナーを開ると開口が広くなる。体を横向け（９０度倒す）開けた方から脚を出しコンパス状に広げると全ての作業が果せる。
【請求項２】
スリットを前後に開け、両足をズボンの裾から膝まで上げ体を横９０度に向け、前後に開けた布を尻、腹に当てて体を元の上向きにして、ウエストの綿テープで止めると着脱完了。一気に着脱が完了するので「省エネ」「時短」に結びつく
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
男女の別なく同形であり、一方の裾から腹部の上側を通り、他方の裾まで繋がる、二つのハンドルを有するファスナーにより、腹部中心から開くことができることを特徴とするオムツ替えパジャマズボン、ズボン下。
【請求項２】
ウエストサイドの縫い目に大きなスリットを設け、横からオムツが露出しない様にスリットに合った三角形の布を前側及び後側から引き出し、前側から引き出した布を後側から引き出した布を前に巻きつけ、腹部の状態にフィットしたところで、前側から引き出した布及び後側から引き出した布を面ファスナーで止めることができることを特徴とする、請求項１に記載のオムツ替えパジャマズボン、ズボン下。
【手続補正３】
【補正対象書類名】明細書
【補正対象項目名】０００８
【補正方法】変更
【補正の内容】
【０００８】  本発明に係るズボン、ズボン下はズボンをはき替える場合両ウエストサイドのスリットの面ファスナーを外し上を向いて寝ている状態を９０度転じてスリット部から尻、腹を出してズボンを下に少し引張って体を元の体勢に戻すと両足が出る。
着る時も体を９０度転じ上になっているスリットから足を入れスリットを面ファスナーで閉じ下になっている方も同様にする。
【手続補正４】
【補正対象書類名】明細書
【補正対象項目名】０００９
【補正方法】変更
【補正の内容】
【０００９】  本発明は、寝たきりの人はズボンのウエストの締め付けは不必要である。介護人にとっては邪魔で余分な力を使い扱いづらい。
大きいスリットと面ファスナーが代りになると、被介護人のウエストの状態に合わせその都度加減することが出来お互い勝手が良い。疲れない。
【手続補正５】
【補正対象書類名】明細書
【補正対象項目名】００１２
【補正方法】変更
【補正の内容】
【００１２】  男性用、女性用の別は無く福祉用具に有り勝ちな色合いではなく明るい色調、模様の生地を用いる。
標準の型紙ではなく前身頃と後ろ身頃とからなる〔図１〕〔図２〕。
〔図２〕の後ろは前よりも胴廻りは大きめで股上を長くする。
体側の縫い止りＣは股の高さにしてスリットを大きくする。
〔図１〕前身頃のスリットよりオムツが露出しない様にＤＦの布を増す。
１、３の上辺の外になる部分に面ファスナーを付ける。
〔図２〕後ろ身頃のスリットは面ファスナーを止める意味あいのものでＤＦより小振りでＥＦの布を２、３の上辺の内側に面ファスナーを施す。
【手続補正６】
【補正対象書類名】明細書
【補正対象項目名】００１４
【補正方法】変更
【補正の内容】
【００１４】ア、イ、ウ        １本のファスナーを施す位置
エ                １本のファスナーに左右に動くハンドル
Ａ、Ｂ、Ａ’Ｂ’  ズボンの縫い始め
Ｃ                縫い止まり
Ｃ〜Ｄ            前身のスリットに布
Ｃ〜Ｆ            前身のスリットに布
Ｃ〜Ｅ            後ろ身のスリットに布
Ｃ〜Ｇ            後ろ身のスリットに布
１、３の上辺外側に面ファスナー
２、４の上辺内側に面ファスナー
【手続補正７】
【補正対象書類名】図面
【補正対象項目名】図１
【補正方法】変更
【補正の内容】
【図１】
2020128599.tif 000007
【手続補正８】
【補正対象書類名】図面
【補正対象項目名】図２
【補正方法】変更
【補正の内容】
【図２】
2020128599.tif 000008
【手続補正９】
【補正対象書類名】図面
【補正対象項目名】図３
【補正方法】変更
【補正の内容】
【図３】
2020128599.tif 000009